(57)【要約】      （修正有）【課題】ゴルフの練習場等におけるショットの練習用の芝として、組立式のケースに天然芝を植え込み、ケースを傾斜や回転させることが出来る様にしたゴルフ練習用ターフを提供する。【解決手段】芝生本体のケース１をその下部に配した二連式ジャッキを手動にて上下させる。ボックス８にケース１を載せたまま、ストッパーを引きボックスの角を軽く押すことによって回転させることができる。角が少し回り始めたらストッパーの手は外せる。九十度毎にストッパーが入る口を空けているので、ひとりでにパチンと滑り込む。この様にストッパーにて固定する事により、前上がりや左さがり、そして右下がり、前下がり等、また角度も２連式ジャッキによって上下が自在に変えられる。【選択図】図１
0003154039.tif 000002
【実用新案登録請求の範囲】
【請求項１】
ケースに天然芝を植え込み、ゴルフのショット練習ができる様にしたが、従来のケースは一体型であった、このケースを組み立て型に改良し、一部が破損してもその部分だけを取り替えられる様にした。
【請求項２】
芝生植え込みケースに傾斜が付けられる様、稼動機具取り付けボックスを造り、そのボックスの上蓋の片隅に落ち込み溝を造り、２連式ジャッキを取り付け、手動によってジャッキアップし傾斜角度を自由に変えられる様にした。
【請求項３】
芝生植え込みケース本体を回転させられる様、ボックスの上蓋の中心より下方に向けて回転用の円筒型を付け、底板には上に向けて回転用の円筒型の突起を取り付けた、これによって、このボックスの上に本体の芝生ケースを載せたまま回転させることができる、さらに回転軸にストッパーを取り付けて九十度毎に固定できる様にした。
【請求項４】
１の天然芝植え込みケースの厚みに合わせて、１と同様に組み立て式の芝生植え込み用ケースとラバーマット用の二種類のスタンス台を造った。このスタンス台はゴルファーがショットの際ふら付いて足を踏み外さない様広めに設定した。
【考案の詳細な説明】
【技術分野】
【０００１】  本考案は従来の天然芝を植え込むケースを組み立て式にし、さらに傾斜と回転ができる様にしたものである。
【背景技術】
【０００２】  ゴルフ練習場等においてショットの練習は人工芝で練習していた。
【考案の概要】
【考案が解決しようとする課題】
【０００３】  人工芝ではゴルフ場で行うターフを取る様な、ショットの練習ができない、そこで本物の芝生でターフを取るショットができる様にしようとしたものである。
【課題を解決するための手段】
【０００４】  天然芝を植え込むケースを造り育成し本コース並みに芝刈りした物を練習場の打席まで運ぶことができる様にし、さらにゴルフ場の本コースを想定し、できるだけコースのイメージで練習できる様に芝生に傾斜がつけられる様にし、前上がりや左下がり等の練習ができる様にケースを回転できる様にした。
【考案の効果】
【０００５】  上述の様に、本考案の天然芝での練習をすれば、ゴルフ場でアイアンショットでのザックリやダフリ等の失敗を軽減できるものと思われる、当然スコアアップに役立つ。
【図面の簡単な説明】
【０００６】
【図１】本考案の斜視図である。
【図２】本考案の側面図である。
【図３】本考案の枠板一本をニ分割で描き雌口の継ぎ手の斜視図である。
【図４】本考案の枠の一本をニ分割で描き雄口の継ぎ手の斜視図である。
【図５】本考案の底板を二枚とした、それぞれの斜視図である。
【図６】本考案の底板のＡ−Ａ断面図である。
【図７】本考案の稼動機具用ボックスの斜視図である。
【図８】本考案の稼動機具用ボックスのＢ−Ｂ断面図である。
【図９】本考案の回転盤の平面図である。
【図１０】本考案の回転盤を固定させるストッパーの平面図である。
【図１１】本考案の回転盤を固定させるストッパーの断面図である。
【図１２】本考案の図７のＣ−Ｃ断面図である。
【図１３】本考案の天然芝植え込みスタンス台の斜視図である。
【図１４】本考案のゴムマットスタンス台の斜視図である。
【考案を実施するための形態】
【０００７】  天然芝を植え込むケースは、一本の同じ枠を四本組み合わせて四辺を構成する、その一本の片側に雌の仕口をもう一方には雄の仕口を設ける、その組み合わせた角々をボルト締めする事で形成される、また底板二枚で一枚の底板とする、この底板に網目の穴を施すことによって、芝生の根が絡み、また枠の内側に凹みを付けた、これによってアイアンで芝生をザックリ取っても芝生全体がケースより飛び出さない様にした。
【実施例】
【０００８】  以下、添付図面に従ってー実施例を説明する。符号１と８のケース本体と機具用ボックスは耐久性のあるプラスチィックス等適宣素材にて組み立て式に形成された芝生植え込みケースと機具用ボックスである。また８の機具用ボックスの内部に１８の２連式ジャッキを取り付け更にそのボックス全体が回転する様に１５・１６・１７の回転軸を取り付ける、このボックスの上に１のケースを載せ、１８で上下させる、これによって１と８を同時に回転させられる。２１のスタンス台は１のケース同様に組み立て式とし、２２はラバーマットを上部に敷設する台である。これは１のケースとの高さを合わせるのが目的であり何れもプラスチィックス等の適宣素材を使用する。
【産業上の利用可能性】
【０００９】  本考案は本物の芝生でショットの練習をしたいとのゴルファーの意見が多くそれを実現させるのが目的であり、その利用可能性は大である。また地球環境にも配慮し使用する芝生は天然芝とし、ケース本体はリサイクルできるプラスチィックス等の適宣素材の使用に配慮した。
【符号の説明】
【００１０】    １  ケース本体
２  天然芝のターフ
３  天然芝のセミラフ
４  継ぎ手仕口
５  ボルト用開口部
６  ジャッキ回転棒用開口部
７  回転軸ストッパー用開口部
８  稼動用機具ボックス
９  手持ち用開口部
１０  ボルト
１１  底板
１２  底板の網目部分
１３  ボックス上蓋
１４  ボックス底板
１５  上蓋付きの回転筒
１６  底板付きの回転筒
１７  回転軸用ストッパー
１８  ２連式ジャッキ
１９  本体ケース支板
２０  ジャッキ回転用ハンドル
２１  天然芝植え込み用スタンスボックス
２２  ラバーマット用スタンスボックス）
２３  スタンス用ラバーマット
【図１】
0003154039.tif 000003
【図２】
0003154039.tif 000004
【図３】
0003154039.tif 000005
【図４】
0003154039.tif 000006
【図５】
0003154039.tif 000007
【図６】
0003154039.tif 000008
【図７】
0003154039.tif 000009
【図８】
0003154039.tif 000010
【図９】
0003154039.tif 000011
【図１０】
0003154039.tif 000012
【図１１】
0003154039.tif 000013
【図１２】
0003154039.tif 000014
【図１３】
0003154039.tif 000015
【図１４】
0003154039.tif 000016
【手続補正書】
【提出日】平成21年7月6日(2009.7.6)
【手続補正１】
【補正対象書類名】実用新案登録請求の範囲
【補正対象項目名】全文
【補正方法】変更
【補正の内容】
【実用新案登録請求の範囲】
【請求項１】
ゴルフ練習用の天然芝植え込みケースであって、枠部を同じ一本の枠材で四辺を組み、一枚のメッシュ式底板を組み合わせボルト締めとすることを特長とする天然芝植え込みケース。
【手続補正２】
【補正対象書類名】明細書
【補正対象項目名】全文
【補正方法】変更
【補正の内容】
【考案の詳細な説明】
【技術分野】
【０００１】  本考案はゴルフ練習用の天然芝植え込みケースを組み立て式としたものであり、四本の枠材と一枚のメッシュ式底板からなり、それらを組み合わせてボルト締めで一つのケースを形成するものである。
【背景技術】
【０００２】  ゴルフ練習場等においてゴルフのショット練習は人工芝での練習をしている。
【考案の概要】
【考案が解決しようとする課題】
【０００３】  人工芝でのショット練習では、ゴルフ場の本コースで行う、ターフを取るショットいわゆる芝生を削りながらボールを打つショットが出来ない、そこで本考案でターフを取るショットの練習が出来る様にしようとしたものである。
【課題を解決するための手段】
【０００４】  天然芝を植え込むケースを造り、このケースに芝生を植え込み育成し本コース並みに芝刈りしたものを、ゴルフ練習場の打席に設置し、ゴルフ場の本コース並にターフを取るショットが出来る様にした。
【考案の効果】
【０００５】  本考案の天然芝でのターフを取るショットの練習を重ねれば、ゴルフ場本コースでのアイアンショットでの、ザックリやダフリそしてトップ等のミスショットの失敗が軽減でき、スコアアップに役立つ。
【図面の簡単な説明】
【０００６】
【図１】本考案の斜視図である。
【図２】本考案の完成イメージ斜視図である。
【図３】本考案の枠部材を二分割で描き雌口の継ぎ手仕口斜視図である。
【図４】本考案の枠部材を二分割で描き雄口の仕口斜視図である。
【図５】本考案のメッシュ式底板の斜視図である。
【考案を実施するための形態】
【０００７】  本考案の天然芝植え込みケースは、一本の枠材に片方には雌の仕口を設け、もう片方には雄の仕口を設ける、同じ枠材を四本組み合わせて四辺を構成し、一枚のメッシュ式底板を取り付けて四隅をボルトで締め付けて一つのケースとする。
【実施例】
【０００８】  本考案の天然芝植え込みケースは、地球環境に配慮し、リサイクルが可能な耐久性のあるプラスチィックス等の適宣素材を使用し、組み立て式とした。組み立て式によって、一辺が破損した場合その破損した部材を交換することによって修復できる。
【産業上の利用可能性】
【０００９】  本考案は本物の芝生でアイアンショットの練習がしたいとのゴルファーが多く、それを可能にするのが目的であり、その利用可能性は大である。また、このケースの素材は地球環境に配慮しリサイクルが可能な適宣素材とし、組み立て式にすることによって破損部分だけの部材を交換できるので、無駄が省け経済的でもある。
【符号の説明】
【００１０】  １  ケース本体の枠部
２  植え込み芝生
３  メッシュ式底板
４  継ぎ手雌仕口
５  継ぎ手雄仕口
６  ボルト
７  メッシュ式底板挿入溝１
８  芝生植え込み用土飛び出し防止溝
【手続補正３】
【補正対象書類名】図面
【補正対象項目名】全図
【補正方法】変更
【補正の内容】
【図１】
0003154039.tif 000017
【図２】
0003154039.tif 000018
【図３】
0003154039.tif 000019
【図４】
0003154039.tif 000020
【図５】
0003154039.tif 000021